(57)【要約】      （修正有）【課題】汚物処理装置につながって、汚物のみを効果的に貯蔵できる逆流防止装置を提供する。【解決手段】逆流防止装置は、内部に汚物を貯蔵する空間が形成される貯蔵部１００、流入孔２２０が形成され、汚物が流入孔を通して貯蔵部の内部に移動されるように経路を提供する流入部２００、排出孔３２０が形成され、貯蔵部内部の空気が排出孔を通して排出されるように経路を提供する排出部３００、及び貯蔵部の内部に備えられ、汚物及び空気のうちの少なくともいずれか一つの流動方向を少なくとも１回変更して汚物の排出部への流入を防ぐバリアーユニット４００を含む。【選択図】図２
2020116375.tif 000002
【特許請求の範囲】
【請求項１】
内部に汚物を貯蔵する空間が形成される貯蔵部；
流入孔が形成され、前記汚物が前記流入孔を通して前記貯蔵部の内部に移動されるように経路を提供する流入部；
排出孔が形成され、前記貯蔵部内部の空気が前記排出孔を通して排出されるように経路を提供する排出部；及び
前記貯蔵部の内部に備えられ、前記汚物及び前記空気のうちの少なくともいずれか一つの流動方向を少なくとも１回変更して前記汚物の前記排出部への流入を防ぐバリアーユニット；
を含む逆流防止装置。
【請求項２】
前記バリアーユニットは、
前記流入部の外側から前記貯蔵部の内側に向かって形成される第１バリアー部；
を含む請求項１に記載の逆流防止装置。
【請求項３】
前記第１バリアー部は、前記汚物が落下する方向に傾くことを特徴とする請求項２に記載の逆流防止装置。
【請求項４】
前記バリアーユニットは、
前記貯蔵部の内側から前記流入部の外側に向かって形成される第２バリアー部；
を含む請求項１に記載の逆流防止装置。
【請求項５】
前記バリアーユニットは、
前記流入部の外側から前記貯蔵部の内側に向かって形成される第１バリアー部；
前記貯蔵部の内側から前記流入部の外側に向かって形成される第２バリアー部；及び
前記流入部の外側から前記貯蔵部の内側に向かって形成される第３バリアー部；
を含み、
前記第２バリアー部は、前記第１バリアー部と前記第３バリアー部の間に備えられることを特徴とする請求項１に記載の逆流防止装置。
【請求項６】
前記第１バリアー部、前記第２バリアー部及び前記第３バリアー部のうちの少なくともいずれか一つは、前記汚物が落下する方向に傾くことを特徴とする請求項５に記載の逆流防止装置。
【請求項７】
前記貯蔵部と着脱できるように結合され、回転できるように備えられるハンドル部材が形成されるカバー部；
をさらに含み、
前記流入部及び前記排出部は、前記カバー部の一部を貫くように形成されることを特徴とする請求項５に記載の逆流防止装置。
【請求項８】
前記流入部は、前記ハンドル部材の回転によって前記汚物が落下する方向と反対方向に移動し、前記第１バリアー部と前記第２バリアー部の間の空間が遮断されることを特徴とする請求項７に記載の逆流防止装置。
【請求項９】
前記流入部は、前記ハンドル部材が回転されて前記汚物が落下する方向と反対方向に外力が作用する場合、前記外力が加えられる方向に移動して前記第１バリアー部と前記第２バリアー部の間の空間が遮断されることを特徴とする請求項７に記載の逆流防止装置。
【請求項１０】
前記流入部は、一端部が移動できるように備えられ、前記流入部に前記汚物が落下する方向と反対方向に外力が作用する場合、前記外力が加えられる方向に移動して前記第１バリアー部と前記第２バリアー部の間の空間が遮断されることを特徴とする請求項５に記載の逆流防止装置。
【請求項１１】
前記排出部は、動力部とつながって前記貯蔵部内部の空気を吸いこむことを特徴とする請求項１に記載の逆流防止装置。
【請求項１２】
前記排出部は、
前記空気をフィルタリングするフィルター部材；
を含む請求項１に記載の逆流防止装置。
【発明の詳細な説明】
【技術分野】
【０００１】
本発明は、逆流防止装置に係り、より詳しくは、汚物処理装置につながって汚物のみを効果的に貯蔵することができる装置に関する。
【背景技術】
【０００２】
老弱者または患者は、身体的、精神的不便のため自ら便を処理することがとても難しく、排泄物を処理するためには保護者や看護人の助けが必要である。しかし、上記のような排泄物処理過程は、保護者や看護人だけでなく老弱者や患者にも大きいストレスと煩わしさを誘発する。
【０００３】
上記のような問題点を解決するために様々な排泄物処理装置が開発されている。しかし、最近の排泄物処理装置の場合、排泄物を処理することにとどまらず、ウォッシュレット、乾燥などの様々な機能が加えられ、使用者の使い心地の理由などで排泄物を貯蔵する空間の限界が問題になる。
【０００４】
また、排泄物処理装置が貯蔵する汚物を老弱者や患者と隣接した空間で処理するしかないため、心理的負担を完全に払拭することは容易ではない。
【０００５】
本発明は、汚物のみを効果的に貯蔵して処理することを容易にして前記のような問題点を解決することができる。
【先行技術文献】
【特許文献】
【０００６】
【特許文献１】韓国登録特許公報第１０-０５８８２９７号
【発明の概要】
【発明が解決しようとする課題】
【０００７】
本発明は上述した従来技術の問題点を解決するために案出された発明であって、汚物を貯蔵してこれを容易に処理することができる逆流防止装置を提供するためのものである。
【０００８】
また、排泄物処理装置と連動されて前記排泄物万を効果的に貯蔵することができる逆流防止装置を提供するためのものある。
【０００９】
本発明の課題は、以上で言及した課題に制限されず、言及されていない別の課題は以下の記載から当業者にとって明確に理解される。
【課題を解決するための手段】
【００１０】
前記目的を達成するための本発明の逆流防止装置は、内部に汚物を貯蔵する空間が形成される貯蔵部、流入孔が形成され、前記汚物が前記流入孔を通して前記貯蔵部の内部に移動されるように経路を提供する流入部、排出孔が形成され、前記貯蔵部内部の空気が前記排出孔を通して排出されるように経路を提供する排出部、及び前記貯蔵部の内部に備えられ、前記汚物及び前記空気のうちの少なくともいずれか一つの流動方向を少なくとも１回変更して前記汚物の前記排出部への流入を防ぐバリアーユニットを含むことができる。
【００１１】
この時、前記バリアーユニットは、前記流入部の外側から前記貯蔵部の内側に向かって形成される第１バリアー部を含むことができる。
【００１２】
この時、前記第１バリアー部は、前記汚物が落下する方向に傾くことが好ましい。
【００１３】
又は、前記バリアーユニットは、前記貯蔵部の内側から前記流入部の外側に向かって形成される第２バリアー部を含むことができる。
【００１４】
そして、前記バリアーユニットは、前記流入部の外側から前記貯蔵部の内側に向かって形成される第１バリアー部、前記貯蔵部の内側から前記流入部の外側に向かって形成される第２バリアー部、及び前記流入部の外側から前記貯蔵部の内側に向かって形成される第３バリアー部を含み、前記第２バリアー部は、前記第１バリアー部と前記第３バリアー部の間に備えられることを特徴とすることができる。
【００１５】
この時、前記第１バリアー部、前記第２バリアー部及び前記第３バリアー部のうちの少なくともいずれか一つは、前記汚物が落下する方向に傾くことが好ましい。
【００１６】
そして、前記貯蔵部と着脱できるように結合され、回転できるように備えられるハンドル部材が形成されるカバー部をさらに含み、前記流入部及び前記排出部は前記カバー部の一部を貫くように形成されることを特徴とすることができる。
【００１７】
この時、前記流入部は、前記ハンドル部材の回転によって前記汚物が落下する方向と反対方向に移動し、前記第１バリアー部と前記第２バリアー部の間の空間が遮断されることを特徴とすることができる。
【００１８】
または、前記流入部は、前記ハンドル部材が回転されて前記汚物が落下する方向と反対方向に外力が作用する場合、前記外力が加えられる方向に移動して前記第１バリアー部と前記第２バリアー部の間の空間が遮断されることを特徴とすることができる。
【００１９】
そして、前記流入部は、一端部が移動できるように備えられ、前記流入部に前記汚物が落下する方向と反対方向に外力が作用する場合、前記外力が加えられる方向に移動して前記第１バリアー部と前記第２バリアー部の間の空間が遮断されることを特徴とすることができる。
【００２０】
または、前記排出部は、動力部とつながって前記貯蔵部内部の空気を吸いこむことを特徴とすることができる。
【００２１】
そして、前記排出部は、前記空気をフィルタリングするフィルター部材を含むことができる。
【発明の効果】
【００２２】
前記課題を解決するための本発明の逆流防止装置は、次のような効果がある。
【００２３】
第一、流入される汚物のみを安全に貯蔵して汚物が排出されることを防ぐことができる。
【００２４】
第二、排泄物処理装置との結合時、排泄物の移動経路を調節することができて保護者または看護人が老弱者や患者と隣接した空間で処理する必要がないため、両者間の心理的負担を減らすことができる。
【００２５】
第三、貯蔵した汚物を容易で、且つ不快感なしに処理することができる。
【００２６】
本発明の効果は、以上で言及した効果に制限されず、言及されていない別の効果は請求範囲の記載から当業者にとって明確に理解される。
【図面の簡単な説明】
【００２７】
【図１】本発明の逆流防止装置の斜視図である。
【図２】本発明の逆流防止装置の断面図である。
【図３】本発明のカバー部の第１実施例を示す図面である。
【図４】本発明のカバー部の第１実施例を示す図面である。
【図５】本発明のカバー部の第２実施例を示す図面である。
【図６】本発明のカバー部の第２実施例を示す図面である。
【図７】本発明のカバー部の第３実施例を示す図面である。
【図８】本発明のカバー部の第３実施例を示す図面である。
【発明を実施するための形態】
【００２８】
以下、本発明の目的を具体的に実現することができる本発明の好ましい実施例を添付の図面を参照にして説明する。本実施例を説明するにあたり、同一構成に対しては同一名称及び同一符号が使われ、これによる付加説明は省略する。
【００２９】
また、本発明の実施例を説明するにあたり、同一機能を有する構成要素に対しては同一名称及び同一符号を使うのみであって、実質的には従来と完全に同一ではないことを予め明らかにする。
【００３０】
また、本発明の実施例で使った用語は、単に特定実施例を説明するために使われたものであって、本発明を限定する意図はない。単数の表現は文脈上明らかに異なる意味を持たない限り、複数の表現を含む。
【００３１】
また、本発明の実施例において、「含む」または「有する」などの用語は、明細書上に記載された特徴、数字、段階、動作、構成要素、部品またはこれらを組み合わせたものが存在することを指定するものであって、一つまたはそれ以上の別の特徴や数字、段階、動作、構成要素、部品またはこれらを組み合わせたものの存在または付加可能性を予め排除しないものとして理解されなければならない。
【００３２】
図１ないし図２を参照して本発明の逆流防止装置について説明する。図１は本発明の逆流防止装置の斜視図で、図２は本発明の逆流防止装置の断面図である。
【００３３】
図１及び図２によれば、本発明の逆流防止装置は、貯蔵部１００、流入部２００、排出部３００及びバリアーユニット４００を含むことができる。
【００３４】
貯蔵部１００は、内部に汚物を貯蔵する空間である貯蔵空間１２０が形成されることができる。貯蔵部１００は、シリンダー型、六面体型など様々な形象で備えられてもよく、図面の形象に制限されない。
【００３５】
流入部２００は、流入孔２２０が形成され、前記汚物が流入孔２２０を通して前記貯蔵部１００の内部、即ち貯蔵空間１２０へ移動されるように経路を提供することができる。例えば、流入部２００は排泄物処理装置とつながって、前記排泄物処理装置を通して排出される老弱者や患者の排泄物のような汚物が前記貯蔵空間１２０に流入されるようにすることができる。
【００３６】
排出部３００は、排出孔３２０が形成され、前記貯蔵部１００内部の空気が前記排出孔３００を通して排出されるように経路を提供することができる。排出部３００を通して前記貯蔵部１００内部の空気が排出されることにより、前記汚物は前記流入部２００を通して円滑に移動することができる。
【００３７】
この時、前記排出部３００は、動力部とつながって前記貯蔵部１００内部の空気を吸いこむことが好ましい。動力部はモーターなどからなって、前記貯蔵部１００内部の空気の流れを円滑にすることができる。すなわち、前記動力部は前記貯蔵部１００の内部空気を吸いこんで前記汚物が前記流入部２００を通して流入されることができる。ただし、動力部は前記機能を行うものであれば、具体的な個数、性能などは制限されない。
【００３８】
バリアーユニット４００は、前記貯蔵部１００の内部に備えられ、前記汚物及び前記空気のうちの少なくともいずれか一つの流動方向を少なくとも１回変更して前記汚物の前記排出部３００への流入を防ぐことができる。
【００３９】
前記バリアーユニット４００は、前記汚物と前記空気において迷路のような役目をする。この時、前記汚物は前記バリアーユニット４００によって流動方向が変更される場合、自重によって前記排出部３００に近付くことができなくなる。しかし、前記貯蔵空間１２０の空気は、前記バリアーユニット４００によって流動方向が変更される場合でも流動性によって前記排出部３００を通して排出されることができる。つまり、バリアーユニット４００によって貯蔵部１００内部の汚物と空気中の空気のみが選択的に前記排出部３００を通して排出されることができる。
【００４０】
前記バリアーユニット４００の模様及び形状は、ある一つの形状に制限されないし、多様に構成されることができる。
【００４１】
この時、前記排出部３００は、フィルター部材を含むことができる。
【００４２】
フィルター部材は前記排出部３００に備えられ、前記空気をフィルタリングすることができる。前記貯蔵部１００内部の空気は汚物によって不快な臭いを含む可能性が高く、前記フィルター部材は前記空気の臭いまたは粒子をフィルタリングして悪臭による被害を防ぐことができる。前記フィルター部材が備えられる位置、種類などは使用環境によって変わることがある。
【００４３】
この時、本発明のバリアーユニット４００の第１実施例によれば、前記バリアーユニット４００は第１バリアー部４２０を含むことができる。
【００４４】
第１バリアー部４２０は、前記流入部２００の外側から前記貯蔵部１００の内側に向かって形成されることができる。そして、前記第１バリアー部４２０は、前記汚物が落下する方向に傾くように形成されることが好ましい。
【００４５】
前記第１バリアー部４２０が前記流入部２００の外側から前記貯蔵部１００の内側に向かって形成されることによって、前記汚物及び前記空気の少なくともいずれか一つの流動方向が少なくとも１回変更されるようになる。
【００４６】
また、前記構成によって、前記流入部２００の一端で排出される汚物が既に貯蔵空間１２０に貯蔵されている汚物などと互いの影響によって飛び散る場合でも１次的な障壁の役目をすることができる。前記流入部２００の一端で排出されるので、前記流入部２００の一端部の近接した位置で汚物の飛び散る確率が一番高いためである。そして、前記第１バリアー部４２０が前記汚物が落下する方向に傾くように形成されることによって、上記のような機能がもっと効果的に遂行される。
【００４７】
本発明のバリアーユニット４００の第２実施例によれば、前記バリアーユニット４００は、第２バリアー部４４０を含むことができる。
【００４８】
第２バリアー部４４０は、前記貯蔵部１００の内側から前記流入部２００の外側に向かって形成されることができる。そして、前記第２バリアー部４４０は、前記汚物が落下する方向に傾くように形成されることが好ましい。前記第２バリアー部４４０は、前記第１バリアー部４２０と比べて形成される位置が異なるだけである。前記第２バリアー部４４０が前記汚物及び前記空気の少なくともいずれか一つの流動方向を少なくとも１回変更して前記汚物の前記排出部３００への流入を防ぐ機能は、前記第１バリアー部４２０と同一であると言える。
【００４９】
本発明のバリアーユニット４００の第３実施例によれば、前記バリアーユニット４００は、第１バリアー部４２０、第２バリアー部４４０及び第３バリアー部４６０を含むことができる。
【００５０】
第１バリアー部４２０は、前記流入部２００の外側から前記貯蔵部１００の内側に向かって形成されることができる。第２バリアー部４４０は、前記貯蔵部１００の内側から前記流入部２００の外側に向かって形成されることができる。第３バリアー部４６０は、前記流入部２００の外側から前記貯蔵部１００の内側に向かって形成されることができる。そして、前記第２バリアー部４４０は、前記第１バリアー部４２０と前記第３バリアー部４６０の間に備えられることが好ましい。
【００５１】
前記第１バリアー部４２０、前記第２バリアー部４４０及び前記第３バリアー部４６０によって前記汚物及び前記空気のうちの少なくともいずれか一つの流動方向が変更される回数が増えるので、前記バリアーユニット４００の機能はさらに目立つことがある。具体的に、前記第１バリアー部４２０の下部、前記第１バリアー部４２０の上部、前記第２バリアー部４４０の上部及び前記第３バリアー部４６０の上部でそれぞれ前記汚物及び前記空気のうちの少なくともいずれか一つの流動方向が変更されることがある。よって、前記汚物は流動方向が変更される場合であっても、自重によって前記排出部３００に近付くことができなくなる。しかし、前記貯蔵空間１２０の空気は、前記バリアーユニット４００によって流動方向が変更される場合でも流動性によって前記排出部３００を通して排出されることができる。
【００５２】
また、前記第１バリアー部４２０、前記第２バリアー部４４０及び前記第３バリアー部４６０のうちの少なくともいずれか一つは、前記汚物が落下する方向に傾くことが好ましい。これは、前記第１バリアー部４２０、前記第２バリアー部４４０及び前記第３バリアー部４６０のうちの少なくともいずれか一つが前記汚物が落下する方向に傾くように形成されることによって、上記のような機能がもっと効果的に行われることができるためである。
【００５３】
上述した内容は、幾つかの実施例の中で一部を並べたもので、前記バリアーユニット４００は、第１バリアー部４２０及び第２バリアー部４４０のみで構成されてもよく、前記第１バリアー部４２０及び前記第２バリアー部４４０によって同一な機能及び効果を具現することができる。
【００５４】
図３ないし図８を参照して本発明のカバー部の構成及び連動される過程について説明する。図３及び図４は本発明のカバー部の第１実施例を示す図面で、図５及び図６は本発明のカバー部の第２実施例を示す図面である。そして、図７及び図８は本発明のカバー部の第３実施例を示す図面である。
【００５５】
本発明の逆流防止装置は、カバー部５００を含むことができる。
【００５６】
カバー部５００は、前記貯蔵部１００と着脱できるように結合され、回転できるように備えられるハンドル部材５２０が形成されることができ、前記流入部２００及び前記排出部３００は、前記カバー部５００の一部を貫くように形成されることができる。使用者は、前記カバー部５００を前記貯蔵部１００から分離して、前記貯蔵部１００内部に貯蔵される汚物を容易に捨てることができる。そして、前記カバー部５００を前記貯蔵部１００に結合して本発明の逆流防止装置を使うことができる。
【００５７】
前記流入部２００及び前記排出部３００が前記カバー部５００の一部を貫く形象は、洗浄の容易性、結合の便宜性などに応じて自在に変更されることができて、図面などに制限されない。
【００５８】
図３及び図４を参照した本発明のカバー部５００の第１実施例によれば、前記流入部２００は、前記ハンドル部材５２０の回転に連動されて前記汚物が落下する方向と反対方向に移動し、前記第１バリアー部４２０と前記第２バリアー部４４０の間の空間が遮断されることがある。
【００５９】
具体的に、前記ハンドル部材５２０は、一端部が外力によって回転できるように取っ手が形成されてもよい。そして、前記ハンドル部材５２０の他端部の一部は前記カバー部５００の内部に挿入されるように突出されることができる。前記ハンドル部材５２０の突出される部分は、前記他端部から距離「ｄ」ほど一端部に偏って形成されることで、前記突出される部分は前記ハンドル部材５２０の一端部の回転時、前記ハンドル部材５２０の他端部を中心として半径が「ｄ」である弧（ａｒｃ）を描きながら回転することができる。よって、前記ハンドル部材５２０の一端部が前記カバー部５００に対して垂直方向に位置する時、前記ハンドル部材５２０の他端部の突出される部分が挿入される部分は「ｄ」ほど上昇することができる。この時、前記ハンドル部材５２０の他端部の突出される部分と前記流入部２００がつながるように形成されることによって、前記流入部２００が「ｄ」ほど上昇することができる。また、前記第１バリアー部４２０と前記第２バリアー部４４０が前記「ｄ」距離を考慮して離隔して形成されることで、前記流入部２００の上昇によって前記第１バリアー部４２０と前記第２バリアー部４４０の間の空間が遮断されることができる。前記ハンドル部材５２０は、図面に表示されたものの他に２つが備えられ、両手で使うこともできる。
【００６０】
また、前記第３バリアー部４６０が前記カバー部５００から「ｄ」ほど離隔して形成される場合、前記第３バリアー部４６０と前記カバー部５００の内側の間の空間を遮断して多重シーリングの役目をすることができる。つまり、第３バリアー部４６０も前記汚物が落下する方向と反対方向に移動して前記第３バリアー部４６０と前記カバー部５００の内部によって形成される空間も遮断されることができる。
【００６１】
そして、図５及び図６を参照した本発明のカバー部５００の第２実施例によれば、前記流入部２００は、前記ハンドル部材５２０が回転されて前記汚物が落下する方向と反対方向に外力が作用する場合、前記外力が加えられる方向に移動して前記第１バリアー部４２０と前記第２バリアー部４４０の間の空間が遮断されることができる。
【００６２】
具体的には、前記ハンドル部材５２０は、一端部が外力によって回転できるように取っ手が形成されることができる。そして、前記ハンドル部材５２０の他端部の一部は、前記カバー部５００の内部に挿入されるように突出されることがある。この時、前記ハンドル部材５２０の他端部は、前記ハンドル部材５２０の一端部が前記カバー部５００に垂直した状態で回転して距離「ｄ」ほど移動できるように形成されることができる。この時、前記ハンドル部材５２０の他端部の突出される部分と前記流入部２００がつながるように形成されることで、前記流入部２００も前記ハンドル部材５２０が「ｄ」ほど上昇する場合、同じ距離「ｄ」ほど上昇することができる。そして、前記第１バリアー部４２０と前記第２バリアー部４４０が前記「ｄ」の距離を考慮して離隔して形成されることで、前記流入部２００の上昇によって前記第１バリアー部４２０と前記第２バリアー部４４０の間の空間が遮断されることができる。
【００６３】
また、前記第３バリアー部４６０が前記カバー部５００から「ｄ」ほど離隔して形成される場合、前記第３バリアー部４６０と前記カバー部５００の内側の間の空間を遮断して多重シーリングの役目をすることができる。つまり、第３バリアー部４６０も前記汚物が落下する方向と反対方向に移動して前記第３バリアー部４６０と前記カバー部５００の内部によって形成される空間も遮断されることができる。
【００６４】
また、図７及び図８を参照した本発明のカバー部５００の第３実施例によれば、前記流入部２００は、一端部が移動できるように備えられ、前記流入部２００に前記汚物が落下する方向と反対方向に外力が作用する場合、前記外力が加えられる方向に移動して前記第１バリアー部４２０と前記第２バリアー部４４０の間の空間が遮断されることができる。
【００６５】
具体的に、前記第１バリアー部４２０の一部と前記第２バリアー部４４０の一部は、直線距離で「ｄ」ほど離れて備えられてもよい。この時、前記流入部２００に前記汚物が落下する方向と反対方向に外力が作用される場合、前記流入部２００は「ｄ」ほど移動して前記第１バリアー部４２０と前記第２バリアー部４４０の間の空間が密閉されることがある。また、前記第３バリアー部４６０と前記流入部２００の外側の空間も上記のような原理で密閉されることがある。
【００６６】
また、前記カバー部５００を分解せずとも前記カバー部５００が前記貯蔵部１００に結合された状態で前記汚物を排出することができる。
【００６７】
以上のように、本発明による好ましい実施例を詳察し、前記説明した実施例の他にも本発明がその趣旨や範疇から脱することなく、別の特定形態で具体化できるという事実は、該当技術に通常の知識を有する者には自明である。したがって、上述した実施例は、制限的なものではなく例示的なものとされるべきであり、これによって本発明は上述した説明に限定されず、添付の請求項の範疇及びそれ同等の範囲内で変更されることもできる。
【符号の説明】
【００６８】
１００：貯蔵部
１２０：貯蔵空間
２００：流入部
２２０：流入孔
３００：排出部
３２０：排出孔
４００：バリアーユニット
４２０：第１バリアー部
４４０：第２バリアー部
４６０：第３バリアー部
５００：カバー部
５２０：ハンドル部材
【図１】
2020116375.tif 000003
【図２】
2020116375.tif 000004
【図３】
2020116375.tif 000005
【図４】
2020116375.tif 000006
【図５】
2020116375.tif 000007
【図６】
2020116375.tif 000008
【図７】
2020116375.tif 000009
【図８】
2020116375.tif 000010